(57)【要約】本発明は作動回路について記載し、この作動回路は、ジッパースライダに取付けた磁石と、近接する磁石からの磁界を検出するよう、電子回路を作動状態にする磁石スイッチと、及び作動回路に給電するバッテリと、を有する。本発明は、さらに、作動回路を有する磁気閉鎖機構、磁気閉鎖機構を含むラゲッジ、及び磁気閉鎖機構を設置するためのキットについて記載する。【選択図】図１
2016505281.tif 000002
【特許請求の範囲】
【請求項１】
作動回路において、
・ジッパー軸線に沿って移動することによりジッパーを開閉するよう構成し、磁界を発生する磁石を有するジッパースライダと、
・前記磁石からの磁界を近接して検出する際に状態を変化するよう構成した磁気スイッチと、
・前記作動回路への給電のオン又はオフを行うよう前記磁気スイッチに電気的に接続するバッテリと
を備え、
前記磁気スイッチ及び前記ジッパースライダは、前記ジッパースライダが前記磁気スイッチに近接するとき、前記磁石から発生する磁界が前記磁気スイッチを作動化又は不作動化するよう構成し、また
前記磁石は、前記磁気スイッチによる最適検出のため最強位置から最強磁界を発生するよう前記ジッパースライダ上に構成する、作動回路。
【請求項２】
作動回路において、
・磁界を発生する磁石であり、ジッパー軸線に沿って移動することによりジッパーを開閉するよう構成したジッパースライダに取り付ける構成とした、該磁石と、
・前記磁石からの磁界を近接して検出する際に状態を変化するよう構成した磁気スイッチと、
・前記作動回路への給電のオン又はオフを行うよう前記磁気スイッチに電気的に接続するバッテリと
を備え、
前記磁気スイッチ及び前記ジッパースライダは、前記ジッパースライダが前記ジッパー上で移動するとき、前記磁石から発生する磁界が前記磁気スイッチを作動化又は不作動化するよう構成し、また
前記磁石は、前記磁気スイッチによる最適検出のため最強位置から最強磁界を放出するよう前記ジッパースライダ上に構成する、作動回路。
【請求項３】
請求項１又は２のうちいずれか一項記載の作動回路において、さらに、前記作動回路に電気的に接続し、また前記作動回路を作動化又は不作動化するよう構成した手動トグルスイッチを備える、作動回路。
【請求項４】
請求項１〜３のうちいずれか一項記載の作動回路において、さらに、所定時間経過後に前記作動回路を不作動化するよう構成したタイマーを備える、作動回路。
【請求項５】
請求項１〜４のうちいずれか一項記載の作動回路において、さらに、前記磁石はＮ極及びＳ極を有する、作動回路。
【請求項６】
請求項４記載の作動回路において、さらに、前記磁界は、Ｎ極からの磁界が最強となる、作動回路。
【請求項７】
請求項１〜６のうちいずれか一項記載の作動回路において、前記磁気スイッチは最強位置における磁石から放出される磁界を検出するよう構成する、作動回路。
【請求項８】
請求項１〜７のうちいずれか一項記載の作動回路において、さらに、前記磁気スイッチに電気的に接続した電気的素子を備える、作動回路。
【請求項９】
請求項１〜８のうちいずれか一項記載の作動回路において、前記磁石は前記ジッパースライダに取り付ける、作動回路。
【請求項１０】
請求項９記載の作動回路において、前記磁石は前記ジッパースライダに取外し可能に取り付ける、作動回路。
【請求項１１】
請求項１〜１０のうちいずれか一項記載の作動回路において、前記ジッパースライダは、さらに、磁石取付け部分を有する、作動回路。
【請求項１２】
請求項１１記載の作動回路において、前記磁石取付け部分は、前記ジッパースライダが前記ジッパー軸線に沿って移動する間に前記磁石取付け部分を包囲する物体からの干渉を回避するよう構成する、作動回路。
【請求項１３】
請求項１２記載の作動回路において、前記磁石取付け部分には丸みを付ける、作動回路。
【請求項１４】
請求項１〜１３のうちいずれか一項記載の作動回路において、前記ジッパースライダは、さらに、ジッパー引き手を有するものとする、作動回路。
【請求項１５】
請求項８〜１４のうちいずれか一項記載の作動回路において、前記電気的素子は、光源、音発生デバイス、振動デバイス、及び無線通信デバイスから選択したものとする、作動回路。
【請求項１６】
請求項１５記載の作動回路において、前記光源は、発光ダイオード（ＬＥＤ）回路、蛍光発生回路、又はそれらの組合せとする、作動回路。
【請求項１７】
請求項１４記載の作動回路において、前記光源は、下方を照明するよう構成する、作動回路。
【請求項１８】
請求項１４記載の作動回路において、前記音発生デバイスは、警報デバイスとする、作動回路。
【請求項１９】
請求項１〜１８のうちいずれか一項記載の作動回路において、前記バッテリは、小ボタン電池、再充電可能なバッテリ、太陽電池、及びそれらの組合せから選択したものとする、作動回路。
【請求項２０】
請求項１〜１９のうちいずれか一項記載の作動回路において、電力は、無線誘導電力とする、作動回路。
【請求項２１】
請求項８〜１９のうちいずれか一項記載の作動回路において、前記バッテリは、前記電気的素子に取り付ける、作動回路。
【請求項２２】
請求項８〜１９のうちいずれか一項記載の作動回路において、前記電気的素子は、さらに、前記電気的素子を固定位置に取り付けるための取付け部分を有する、作動回路。
【請求項２３】
請求項１〜２２のうちいずれか一項記載の作動回路において、前記ジッパースライダは、前記磁気スイッチに近接するとき、前記作動回路を作動化するよう構成する、作動回路。
【請求項２４】
請求項１〜２２のうちいずれか一項記載の作動回路において、前記ジッパースライダは、前記磁気スイッチに近接するとき、前記作動回路を不作動化するよう構成する、作動回路。
【請求項２５】
請求項１〜２２のうちいずれか一項記載の作動回路において、前記作動回路は、前記ジッパースライダが前記ジッパーの完全開放位置の近傍にあるとき、作動化又は不作動化する、作動回路。
【請求項２６】
請求項１〜２２のうちいずれか一項記載の作動回路において、前記作動回路は、前記ジッパースライダが前記ジッパーの完全閉鎖位置の近傍にあるとき、作動化又は不作動化する、作動回路。
【請求項２７】
磁気閉鎖機構において、
・互いに平行である第１ジッパー細条及び第２ジッパー細条を有するジッパーテープと、
・ジッパー歯の第１セット及び第２セットを有して、前記ジッパーテープに連結したジッパーと、及び
・請求項１〜２６のうちいずれか一項記載の作動回路と
を備える、磁気閉鎖機構。
【請求項２８】
請求項２７記載の磁気閉鎖機構において、磁石は、ジッパー軸線に沿う最強磁界を放出するようジッパースライダ上に構成する、磁気閉鎖機構。
【請求項２９】
請求項２７記載の磁気閉鎖機構において、磁石は、ジッパー軸線に直交する最強磁界を放出するようジッパースライダ上に構成する、磁気閉鎖機構。
【請求項３０】
請求項２７〜２９のうちいずれか一項記載の磁気閉鎖機構を備えるラゲッジ。
【請求項３１】
請求項３０記載のラゲッジにおいて、前記ラゲッジは、チェスト、トランク、スーツケース、ダッフルバッグ、カーペットバッグ、ハンドバッグ、バックパック、及びショルダーバッグから選択したものとする、ラゲッジ。
【請求項３２】
磁気閉鎖機構を設置するためのキットであって、
・請求項２７〜２９のうちいずれか一項記載の磁気閉鎖機構と、及び
・電気的素子を所定位置に固定するため材料に少なくとも１個の孔をパンチ穿孔するよう構成した孔パンチと
を備える、キット。
【請求項３３】
請求項３２記載のキットにおいて、前記孔パンチは、レザーパンチとする、キット。
【発明の詳細な説明】
【技術分野】
【０００１】
本発明は、概して作動回路に関する。より具体的には、本発明は、磁石を有するジッパースライダ、磁気スイッチ、バッテリ、及び電気的素子を備える作動回路に関する。
【背景技術】
【０００２】
ジッパーは織物製品、バッグにおける開口部を開閉する、及び／又は２つの織物製品相互、若しくはバッグの２つの側面相互を取外し可能／裏返し可能に連結するのに広く使用されている。
【０００３】
ジッパーは開口部の開閉状態を検出するスイッチとして使用することができる。例えば、特許文献１（特許公開第２０１１−１８４８１７号）は、ズボン又はスカートのような衣類のジッパーが開いているときアラームを発生する磁気作動デバイスを記載している。このスイッチは、２つの部分、すなわち、1）ジッパースライダと、2）ベルトのバックルに保持したアラームを作動化する電子回路の一部とにより構成する。したがって、電子回路は、２つのコンポーネント、すなわち、1）スイッチ部分、及び2）アラーム部分を有するが、このデバイスは、２つの部品、すなわち、ジッパースライダ及び回路／アラームの組合せにより構成され、またアラームが別個ではない、及び／又は交換可能ではない他の事情ではこのデバイスを使用できなくする。さらに、デバイス作動に必要な磁力を発生するのに使用される磁石は、ジッパー軸線に直交する状態になって放出する磁界が最も弱くなるよう位置決めされる。
【先行技術文献】
【特許文献】
【０００４】
【特許文献１】特許公開第２０１１−１８４８１７号公報
【発明の概要】
【発明が解決しようとする課題】
【０００５】
したがって、電気回路を作動化する、又は閉じることができる、広範囲に使用可能な磁気閉鎖機構に対する必要性がある。
【０００６】
さらに、電気回路を作動化する、又は閉じることができる、最適な磁気閉鎖機構に対する必要性がある。
【課題を解決するための手段】
【０００７】
実施形態において、作動回路を提供し、この作動回路は、
・ジッパー軸線に沿って移動することによりジッパーを開閉するよう構成し、磁界を発生する磁石を有するジッパースライダと、
・前記磁石からの磁界を近接して検出する際に状態を変化するよう構成した磁気スイッチと、
・前記作動回路への給電のオン又はオフを行うよう前記磁気スイッチに電気的に接続するバッテリと
を備え、
前記磁気スイッチ及び前記ジッパースライダは、前記ジッパースライダが前記磁気スイッチに近接するとき、前記磁石から発生する磁界が前記磁気スイッチを作動化又は不作動化するよう構成し、また
前記磁石は、前記磁気スイッチによる最適検出のため最強位置から最強磁界を発生するよう前記ジッパースライダ上に構成する。
【０００８】
他の実施形態において、作動回路を提供し、この作動回路は、
・磁界を発生する磁石であり、ジッパー軸線に沿って移動することによりジッパーを開閉するよう構成したジッパースライダに取り付ける構成とした、該磁石と、
・前記磁石からの磁界を近接して検出する際に状態を変化するよう構成した磁気スイッチと、
・前記作動回路への給電のオン又はオフを行うよう前記磁気スイッチに電気的に接続するバッテリと
を備え、
前記磁気スイッチ及び前記ジッパースライダは、前記ジッパースライダが前記ジッパー上で移動するとき、前記磁石から発生する磁界が前記磁気スイッチを作動化又は不作動化するよう構成し、また
前記磁石は、前記磁気スイッチによる最適検出のため最強位置から最強磁界を放出するよう前記ジッパースライダ上に構成する。
【０００９】
作動回路は、さらに、前記作動回路に電気的に接続し、また前記作動回路を作動化又は不作動化するよう構成した手動トグルスイッチを備える。
【００１０】
作動回路は、さらに、所定時間経過後に前記作動回路を不作動化するよう構成したタイマーを備えることができる。
【００１１】
前記磁石は、Ｎ極及びＳ極を有する。
【００１２】
前記磁界は、Ｎ極からの磁界が最強となるようにすることができる。
【００１３】
前記磁気スイッチは最強位置における磁石から放出される磁界を検出するよう構成することができる。
【００１４】
作動回路は、さらに、前記磁気スイッチに電気的に接続した電気的素子を備えることができる。
【００１５】
前記磁石は前記ジッパースライダに取り付けることができる。
【００１６】
前記磁石は前記ジッパースライダに取外し可能に取り付けることができる。
【００１７】
前記ジッパースライダは、さらに、磁石取付け部分を有する。
【００１８】
前記磁石取付け部分は、前記ジッパースライダが前記ジッパー軸線に沿って移動する間に前記磁石取付け部分を包囲する物体からの干渉を回避するよう構成することができる。
【００１９】
前記磁石取付け部分には丸みを付けることができる。
【００２０】
前記ジッパースライダは、さらに、ジッパー引き手を有するものとする。
【００２１】
前記電気的素子は、光源、音発生デバイス、振動デバイス、及び無線通信デバイスから選択したものとすることができる。
【００２２】
前記光源は、発光ダイオード（ＬＥＤ）回路、蛍光発生回路、又はそれらの組合せとすることができる。
【００２３】
前記光源は、下方を照明するよう構成することができる。
【００２４】
前記音発生デバイスは、警報デバイスとすることができる。
【００２５】
前記バッテリは、小ボタン電池、再充電可能なバッテリ、太陽電池、及びそれらの組合せから選択したものとすることができる。
【００２６】
電力は、無線誘導電力とすることができる。
【００２７】
前記バッテリは、前記電気的素子に取り付けることができる。
【００２８】
前記電気的素子は、さらに、前記電気的素子を固定位置に取り付けるための取付け部分を有することができる。
【００２９】
前記ジッパースライダは、前記磁気スイッチに近接するとき、前記作動回路を作動化するよう構成することができる。
【００３０】
前記ジッパースライダは、前記磁気スイッチに近接するとき、前記作動回路を不作動化するよう構成することができる。
【００３１】
前記作動回路は、前記ジッパースライダが前記ジッパーの完全開放位置の近傍にあるとき、作動化又は不作動化することができる。
【００３２】
前記作動回路は、前記ジッパースライダが前記ジッパーの完全閉鎖位置の近傍にあるとき、作動化又は不作動化することができる。
【００３３】
他の実施形態によれば、磁気閉鎖機構を提供でき、この磁気閉鎖機構は、
・互いに平行である第１ジッパー細条及び第２ジッパー細条を有するジッパーテープと、
・ジッパー歯の第１セット及び第２セットを有して、前記ジッパーテープに連結したジッパーと、及び
・本発明の作動回路と
を備える。
【００３４】
磁石は、ジッパー軸線に沿う最強磁界を放出するようジッパースライダ上に構成することができる。
【００３５】
磁石は、ジッパー軸線に直交する最強磁界を放出するようジッパースライダ上に構成することができる。
【００３６】
他の実施形態によれば、本発明磁気閉鎖機構を備えるラゲッジを提供する。
【００３７】
前記ラゲッジは、チェスト、トランク、スーツケース、ダッフルバッグ、カーペットバッグ、ハンドバッグ、バックパック、及びショルダーバッグから選択したものとすることができる。
【００３８】
他の実施形態によれば、磁気閉鎖機構を設置するためのキットを提供し、このキットは、
・本発明の磁気閉鎖機構と、及び
・電気的素子を所定位置に固定するため材料に少なくとも１個の孔をパンチ穿孔するよう構成した孔パンチと
を備える。
【００３９】
前記孔パンチは、レザーパンチとすることができる。
【００４０】
以下の用語は以下のように定義する。
【００４１】
用語「最強磁界」又は「最強位置」の意図は、磁極から放出される磁界が最強となる磁石の位置を意味する。棒状、ディスク又は丸型の磁石に関して、磁界はＮ極からが最強となる。本発明によれば、磁石（磁界）の向きは、回路作動が最強磁界によって生ずるようにする。
【００４２】
用語「発する」の意図は、（ソース源）から発生する、起源とする、伝播若しくは放出によって生ずることを意味する。本明細書で使用するとき、この用語は磁界が磁石から到来することを表現するのに用いる。
【００４３】
用語「作動化する（activate）」又は「作動状態にする（activating）」の意図は、作動回路若しくは電気的素子を作動状態にすること、及び回路を閉じた状態にすることを意味する。
【００４４】
用語「不作動化する（deactivate）」又は「不作動状態にする（deactivating）」の意図は、作動回路若しくは電気的素子を不作動化すること、及び回路を開いた状態にすることを意味する。
【００４５】
用語「状態を変化する（changing state）」は、第１状態（例えば、オン、閉じる）から第２状態（例えば、オフ、開く）に変化することを意味する。
【００４６】
本発明の特徴及び利点は、以下に添付図面で示すような選択した実施形態について以下に詳細に説明することによってより明らかになるであろう。以下の説明から分かるように、本発明及び特許請求の範囲は、特許請求の範囲から逸脱することなく、様々な変更があり得る。したがって、図面及び説明は、例示として見なすべきであり、限定的なものではなく、本発明の全体範囲は特許請求の範囲で規定されるものである。
【００４７】
本発明の他の特徴及び利点は、添付図面との組合せによる以下の詳細な説明から明らかになるであろう。
【図面の簡単な説明】
【００４８】
【図１Ａ】本発明の実施形態によるジッパー素子を示す。
【図１Ｂ】本発明の実施形態によるジッパー素子を示す。
【図２Ａ】本発明の実施形態によるジッパースライダを示す。
【図２Ｂ】本発明の実施形態によるジッパースライダを示す。
【図２Ｃ】本発明の実施形態によるジッパースライダを示す。
【図２Ｄ】本発明の実施形態によるジッパースライダを示す。
【図２Ｅ】本発明の実施形態によるジッパースライダを示す。
【図２Ｆ】本発明の実施形態によるジッパースライダを示す。
【図２Ｇ】本発明の実施形態によるジッパースライダを示す。
【図３Ａ】本発明の実施形態による作動回路を示す。
【図３Ｂ】本発明の実施形態による作動回路を示す。
【図４Ａ】本発明の実施形態による孔パンチを示す。
【図４Ｂ】本発明の実施形態による孔パンチを示す。
【図５Ａ】本発明の実施形態による電気的素子の頂部から見た斜視図を示す。
【図５Ｂ】本発明の実施形態による電気的素子の底部から見た斜視図を示す。
【図５Ｃ】本発明の実施形態による電気的素子の側面図を示す。
【発明を実施するための形態】
【００４９】
第１実施形態において、作動回路を開示する。この作動回路は、
・ジッパー軸線に沿って移動することによりジッパーを開閉するよう構成し、磁界を発生する磁石を有するジッパースライダと、
・前記磁石からの磁界を近接して検出する際に状態を変化するよう構成した磁気スイッチと、
・前記作動回路への給電のオン又はオフを行うよう前記磁気スイッチに電気的に接続するバッテリと
を備え、
前記磁気スイッチ及び前記ジッパースライダは、前記ジッパースライダが前記磁気スイッチに近接するとき、前記磁石から発生する磁界が前記磁気スイッチを作動化又は不作動化するよう構成し、また
前記磁石は、前記磁気スイッチによる最適検出のため最強位置から最強磁界を発生するよう前記ジッパースライダ上に構成する。
【００５０】
第２実施形態において、磁気閉鎖機構を開示し、この磁気閉鎖機構は、
・互いに平行である第１ジッパー細条及び第２ジッパー細条を有するジッパーテープと、
・ジッパー歯の第１セット及び第２セットを有して、前記ジッパーテープに連結したジッパーと、及び
・本発明の作動回路と
を備える。
【００５１】
第３実施形態において、本発明磁気閉鎖機構を備えるラゲッジを開示する。
【００５２】
第４実施形態において、本発明による磁気閉鎖機構を設置するためのキットを開示する。
【００５３】
本発明の第１実施形態によれば、磁気応答電子回路を作動化する作動回路を開示する。以下に図１Ａ〜Ｂ、２Ａ〜Ｇにつき説明すると、ジッパースライダ１１０，２１０は、ジッパー軸線に沿って移動することによってジッパー１０２を開閉するよう構成し、また磁界１２０を発生する少なくとも１個の磁石１２２，２２２を有する。他の実施形態によれば、作動回路は、ジッパースライダ１１０，２１０に取り付けるよう構成し、このジッパースライダ１１０，２１０は既存のジッパースライダを変更して使用することができる。磁石１２２，２２２は任意の適当な磁石、例えば、棒状、ディスク型、ビーズ状の磁石とすることができる。実施形態によれば、磁石は発生する磁界が最強になる向きを有する。例えば、磁石はＮ極及びＳ極を有し、Ｎ極から最強の磁界１２０を発生することができる。作動回路は、さらに、磁気スイッチ１１８を有し、この磁気スイッチ１１８は、磁気スイッチ１１８に近接する磁石からの磁界１２０を検出する際に状態を変化するよう構成する。磁気スイッチ１１８は磁界検出器として機能する。本明細書で使用するとき、用語「状態を変化する」の意図は、磁気スイッチ１１８がオフ状態からオン状態に、又はその逆に変化することを意味する。換言すれば、磁気スイッチ１１８は、磁界１２０が作動回路を閉じる又は開くことによって、作動化する又は不作動化することができる。磁気スイッチ１１８及びジッパースライダ１１０は、磁石から発生する磁界１２０が磁気スイッチ１１８に近接するとき、磁気スイッチを作動化する又は不作動化するよう構成する。実施形態によれば、ジッパースライダ１１０は、磁気スイッチ１１８に近接するとき、作動回路を作動化するよう構成することができる。代案として、他の実施形態によれば、ジッパースライダ１１０は、磁気スイッチ１１８に近接するとき、作動回路を不作動化するよう構成することができる。他の実施形態によれば、作動回路は、ジッパースライダ１１０が、図１Ａにおけるようにジッパー１０２の完全に閉じる位置の近傍にあるときに作動化する、又は不作動化するようにすることができる。他の実施形態によれば、作動回路は、図１Ｂにおけるようにジッパー１０２の完全に開く位置の近傍にあるときに作動化する、又は不作動化するようにすることができる。
【００５４】
実施形態によれば、磁石１２２，２２２は、ジッパースライダ１１０上の最強位置（例えば、Ｎ極）から最強磁界１２０を発生し、磁気スイッチ１１８の最適検出及び作動回路の作動化ができるよう構成する。作動化及び不作動化は、電子回路が作動回路の意図する目的に基づいて「オン」状態又は「オフ」状態の何れかとなることを意味する。
【００５５】
磁石１２２，２２２の最適位置決めによれば、有利にも、本発明のスイッチに使用される磁石をより小さく、より弱く、又はより少ない数にすることができる。このことは、とくに、本発明の回路を、磁気に対する感度がよい材料、例えば、ハンドバッグ内のクレジットカード（又は任意な他の磁気ストライプを含むカード）に近接して使用するときに重要である。
【００５６】
実施形態によれば、磁気スイッチ１１８は、最強位置で磁石１２２，２２２から発生する磁界を検出するよう構成する。好適には、磁気スイッチ１１８は、磁界１２０が磁石１２２，２２２のＮ極から放出されるよう位置決めする。
【００５７】
他の実施形態によれば、本発明の作動回路は、さらに、手動のトグルスイッチを含み、このトグルスイッチは、例えば、押込み可能なボタンとすることができる。本発明の作動回路を作動化又は不作動化するよう構成することができる。この手動のトグルは作動回路がジッパー１０２の磁石２２２の位置に無関係にオン又はオフにするのが必要になる状況で有用である。
【００５８】
他の実施形態によれば、本発明の作動回路には、さらに、所定時間の経過後に作動回路を不作動化するよう構成したタイマーを設けることができる。例えば、タイマーは、１０，２０，３０，４０，５０秒後、又は１，２，３，４，５，６，７，８，９、若しくは１０分後に作動回路をオフ状態にすることができる。このタイマーは、作動回路の作動時間を大まかに制限するのに有用であり得る。とくに、このタイマーは、作動回路が不在時に及び／又は不慮に開状態のままである状況で有用であり得る。この特徴によれば、本発明の作動回路に給電するバッテリの完全な枯渇を防止できる。
【００５９】
次に図３Ａ〜Ｂにつき説明すると、他の実施形態によれば、作動回路には、さらに、磁気スイッチ３１８に電気的に接続したバッテリ３５０を設け、例えば、バッテリ３５０を磁気スイッチ３１８に直接的に、又は電気的素子３４０を経由して間接的に、又は直接及び間接的双方で接続し、作動回路への給電をオン又はオフできるようにする。他の実施形態によれば、バッテリ３５０は、小ボタン電池、再充電可能なバッテリ、太陽電池、及びそれらの組合せから選択することができる。他の実施形態によれば、バッテリ３５０の電気的出力を無線で電子回路に供給することができる。例えば、無線誘導伝送によって供給することができる。他の実施形態によれば、バッテリ３５０は電気的素子３４０に直接取付けることができる。
【００６０】
他の実施形態によれば、磁石２２２は、ジッパースライダ２１０に取外し可能に取り付けることができる。他の実施形態によれば、ジッパースライダ２１０は、さらに磁石取付け部分２２４を有し、本発明による磁石２２２を収容及び位置決めできるようにする。実施形態において、この磁石取付け部分２２４は、ジッパースライダ２１０がジッパー軸線上のジッパー歯の第１セット１０６及び第２セット１０８に沿って移動する間に磁石取付け部分２２４を取り囲む物体からの干渉を受けるのを防止するよう構成する。好適な実施形態によれば、磁石取付け部分２２４には丸みを付ける。実施形態によれば、図２に示すように、磁石取付け部分２２４は、ジッパースライダ２１０のジッパー引き手を有する表面とは反対側の表面に配置する。この実施形態によれば、磁石取付け部分２２４は、例えば、緊締具２３０によってジッパースライダ２１０に固定することができる。他の実施形態によれば、ジッパースライダ２１０は一体形成磁石取付け部分２２４を有することができる。使用にあたり、例えば、バッグにおいて、磁石取付け部分２２４はバッグ内側に配置することができる。
【００６１】
他の実施形態によれば、磁石２２０は、ジッパー軸線に沿って（すなわち、ジッパー軸線と同一方向に沿って）最強磁界を発生するようジッパースライダ２１０上に構成する。他の実施形態によれば、磁石２２０は、ジッパー軸線に直交する方向に（すなわち、いかなる可能な直交位置を含むジッパー軸線に対して９０゜の角度をなす方向に）最強磁界を発生するようジッパースライダ２１０上に構成する。
【００６２】
さらに、他の実施形態によれば、作動回路には、磁気スイッチ３１８に、又はバッテリ３５０に、又はその双方に電気的に接続した電気的素子３４０を設けることができる。他の実施形態によれば、電気的素子３４０は、光源、音発生デバイス、振動デバイス、及び無線通信デバイスから選択することができる。
【００６３】
光源の非限定的例としては、発光ダイオード（ＬＥＤ）回路、蛍光発生回路、又はそれらの組合せがある。好適な実施形態によれば、光源は下方を照明するよう構成する。音発生デバイスの非限定的例としては、例えば、ブザー若しくはホイッスルのような警報デバイス、又は１個若しくは複数個の小スピーカがある。
【００６４】
実施形態によれば、無線通信デバイスは、本発明の作動回路を有する物品の開放を遠隔に通信するのに使用することができる。この情報は、ネットワークアクセス可能デバイス、例えば、コンピュータ、携帯電話又はスマートフォンに無線で通信することができる。このことは、物品から遠い場所に、物品が盗まれた又は紛失したとき通信するのに有用であり得る。このような無線通信デバイスの例としては、全地球測位装置（ＧＰＳ：global positioning system）レシーバ及びトランスミッタ、並びに無線通信マイクロチップがあり得る。さらに、情報は、本発明の磁気スイッチを有する物品のオーナー、オーナーが装着した物品、例えば、衣服に取付けた小スピーカ若しくはジュエリーに通信することができる。
【００６５】
次に図５Ａ〜Ｃにつき説明すると、他の実施形態によれば、電気的素子５４０（小回路板）は、電気的素子を固定位置に取付ける取付け部分を有することができる。この取付け部分は、電気的素子５４０を固定位置に設置し、特定機能（例えば、照明）を行うとき有用である。取付け部分は、任意の適当なアタッチメント手段、例えば、ねじを収容するねじ孔５５０、クリップ、フック及びループ式ファスナ等を有することができる。
【００６６】
第２実施形態によれば、磁気閉鎖機構を提供し、この磁気閉鎖機構は、
・互いに平行である第１ジッパー細条１１４及び第２ジッパー細条１１６を有するジッパーテープ１０４と、
・ジッパー歯の第１セット１０６及び第２セット１０８を有して、前記ジッパーテープ１０４に連結したジッパー１０２と、及び
・本発明の作動回路と
を備える。
【００６７】
次に図１につき説明すると、磁気閉鎖機構は、互いに平行な第１ジッパー細条１１４及び第２ジッパー細条１１６を有するジッパーテープ１０４と、ジッパー歯の第１セット１０６及び第２セット１０８を有して、前記ジッパーテープ１０４に連結したジッパー１０２とを持つジッパー素子１００を備える。ジッパー素子１００は、さらに、ジッパー引手１１２に連結したジッパースライダ１１０であって、ジッパー軸線上でジッパー歯の第１セット及び第２セットに沿って移動することによってジッパーを開閉するよう構成した、該ジッパースライダ１１０を備える。
【００６８】
第３実施形態によれば、本発明の磁気閉鎖機構を備えるラゲッジを提供する。ラゲッジの非限定的例としては、チェスト、トランク、スーツケース、ダッフルバッグ、カーペットバッグ、ハンドバッグ、バックパック、及びショルダーバッグがある。例えば、実施形態によれば、本発明の磁気閉鎖機構は、このようなラゲッジの内部を照明するのに使用することができる。ジッパー素子１００を開ける際に、磁石２２２は、磁気スイッチ１１８に近接し、ラゲッジ内のＬＥＤ照明回路（例えば、３４０）をオン状態にする検出器を作動させる。代案として、本発明磁気閉鎖機構は逆様態で使用し、ジッパー素子１００を閉じる際に磁石２２２が磁気スイッチ１１８に近接し、ラゲッジ内のＬＥＤ照明回路（例えば、３４０）をオフ状態にする検出器を作動させることができる。
【００６９】
本発明の磁気閉鎖機構は、ジッパーを使用できるいかなる箇所にも設置し、有用な様態で回路を作動又は閉成させることができる。他の実施例としては、テントにおける設置があり、自動的に照明を作動させる、又はアラームを発生させるようにすることができる。
【００７０】
第４実施形態によれば、磁気閉鎖機構を設置するためのキットを提供する。このキットは、本発明磁気閉鎖機構と、電気的素子を所定位置に固定するため材料に少なくとも１個の孔をパンチ穿孔するよう構成した孔パンチとを備える。材料は、例えば、織物（綿、ウール、合成繊維等）、又はレザー及び合成レザーのような任意の適当な材料、紙、プラスチック及び金属とすることができる。例えば、孔パンチは、図４に示すようなレザーパンチ４００とすることができる。
【００７１】
本発明は、本発明の範囲を限定することなく例示する以下の実施例を参照することによってより容易に理解できるであろう。
【００７２】
実施例１
ハンドバッグ照明システム
図３Ｂにつき説明すると、ジッパー素子３００は、ジッパースライダ３１０と、及びジッパースライダ３１０の下側に配置してジッパー軸線に沿って指向する磁界３２０を発生する磁石３２２とを有する。磁石３２２は磁気スイッチ３１８を作動させ、この磁気スイッチ３１８は、２個のＣＲ２０３２による３Ｖバッテリ３５０によって給電されるＬＥＤ照明３４０のデュアルセットを点灯する。ＬＥＤ照明回路３４０は、（必要に応じて位置が変わるが、回路板の周縁に沿って）複数個の小さい孔を配設し、またレザーパンチ４００によりハンドバッグの内面に適当な孔をパンチ穿孔し、複数個の小さい孔を設け、これら孔に糸を縫製して回路をハンドバック内の所定位置に固定することによって、ハンドバッグに設置する。ＬＥＤ照明回路４００は、発生した光をハンドバックの内部及び底部に向けて指向するよう向き決めする。
【００７３】
好適な実施形態は上述し、添付図面に示されるが、本開示から逸脱しない修正を行うことができるのは当業者に明らかである。そのような修正は開示の範囲に含まれる可能な変形であるとみなされる。
【図１Ａ】
2016505281.tif 000003
【図１Ｂ】
2016505281.tif 000004
【図２Ａ】
2016505281.tif 000005
【図２Ｂ】
2016505281.tif 000006
【図２Ｃ】
2016505281.tif 000007
【図２Ｄ】
2016505281.tif 000008
【図２Ｅ】
2016505281.tif 000009
【図２Ｆ−２Ｇ】
2016505281.tif 000010
【図３Ａ】
2016505281.tif 000011
【図３Ｂ】
2016505281.tif 000012
【図４Ａ】
2016505281.tif 000013
【図４Ｂ】
2016505281.tif 000014
【図５Ａ−５Ｂ】
2016505281.tif 000015
【図５Ｃ】
2016505281.tif 000016
【国際調査報告】
2016505281.tif 000017
2016505281.tif 000018
2016505281.tif 000019